(57)【要約】【課題】ファッション性を高める目的において、着物着用の見栄えを高め、着用した時にきれいな着姿ができ、着崩れを確実に防止するようにした和装用上衣を提供する。【解決手段】上前衿部５を備えた上前身頃２および下前衿部６を備えた下前身頃３と、前記上前身頃および下前身頃に対して、袖付け部７を除いて縫着接続されている後身頃４と、袖付け部に取り付けられる左右両袖８、８とにより構成され、前記上前身頃および下前身頃の各下縁が、それぞれ身頃脇部分９から衿先部分１０にかけて徐々に延出し、外向きに凸曲線状１１に形成されているものからなることを特徴とする二部式着物の上衣。【選択図】図１
0003129692.tif 000002
【実用新案登録請求の範囲】
【請求項１】
上前衿部を備えた上前身頃および下前衿部を備えた下前身頃と、前記上前身頃および下前身頃に対して、袖付け部を除いて縫着接続されている後身頃と、袖付け部に取り付けられる左右両袖とにより構成され、前記上前身頃および下前身頃の各下縁が、それぞれ身頃脇部分から衿先部分にかけて徐々に延出し、外向きに凸曲線状に形成されているものからなることを特徴とする二部式着物の上衣。
【請求項２】
前記上前衿部および下前衿部の内側であって、衿先近傍の位置において、前記上前衿部および下前衿部の衿幅の約１／３程度の細幅部分で折り止めしてなることを特徴とする請求項１に記載の二部式着物の上衣。
【請求項３】
前記後身頃の下縁に沿って後身頃の中央部分に取付点を持つベルト手段を含むものからなり、前記ベルト手段が、長さ方向に伸縮性を有する伸縮ベルトからなり、該伸縮ベルトの各自由端側に係着手段を設けてなることを特徴とする請求項１あるいは請求項２に記載の二部式着物の上衣。
【請求項４】
前記ベルト手段の取付点が、長さ方向に貫通する貫通部を有するように形成されていて、前記貫通部に、両端にクリップを備えた止め合わせ部材を設けたことを特徴とする請求項１〜請求項３のいずれかに記載の二部式着物の上衣。
【考案の詳細な説明】
【技術分野】
【０００１】
この考案は、二部式タイプの着物における上衣の構造に関するものであり、特に、着物着用の見栄えを高め、着用した時にきれいな着姿ができ、着崩れを確実に防止するようにした和装用上衣に関するものである。
【背景技術】
【０００２】
周知のように、着物は、日本古来の民族衣装であり、様々な場所で着用され、その種類についても、着用目的、着用者の年齢、着用する場所などでそれぞれ多様なパターンがある。この着物は、通常、上下一体となった一部式のものが伝統的に提供され利用されてきている。この一部式の着物を着用するには、その着付け作業が極めて煩雑なものであり、且つ、着用時に往々にして着崩れしてしまうという多くの問題点を有しており、延いては、着物の着用が敬遠されるという大きな要因となっている。
【０００３】
このような状況において、着物を構成するにあたって、洋服などのように極めて簡単に着用することができるように、上衣と下衣とに分離した、所謂、二部式の着物が広く提案され提供されてきている。さらに、この二部式着物のファッション性を高める目的において、形態の異なる上衣および下衣を準備しておき、これらを選択的に組み合わせることによって、和装あるいは洋装に使い分けるという試みも多く提案され、利用されてきている。
【考案の開示】
【考案が解決しようとする課題】
【０００４】
そこで、この考案は、上記する和装界の状況に鑑みてなされたものであり、さらなるファッション性を高める目的において、着物着用の見栄えを高めるとともに、着用した時にきれいな着姿ができ、着崩れを確実に防止するようにした和装用上衣を提供しようとするものである。
【課題を解決するための手段】
【０００５】
この考案は、上記する目的を達成するにあたって、請求項１に記載の考案は、上前衿部を備えた上前身頃および下前衿部を備えた下前身頃と、前記上前身頃および下前身頃に対して、袖付け部を除いて縫着接続されている後身頃と、袖付け部に取り付けられる左右両袖とにより構成され、前記上前身頃および下前身頃の各下縁が、それぞれ身頃脇部分から衿先部分にかけて徐々に延出し、外向きに凸曲線状に形成されているものからなることを特徴とする二部式着物の上衣を構成するものである。
【０００６】
さらに、この考案において請求項２に記載の考案は、請求項１に記載の二部式着物における上衣であって、前記上前衿部および下前衿部の内側であって、衿先近傍の位置において、前記上前衿部および下前衿部の衿幅の約１／３程度の細幅部分で折り止めしてなることを特徴とするものである。
【０００７】
さらにまた、この考案において請求項３に記載の考案は、請求項１あるいは請求項２に記載の二部式着物における上衣であって、前記後身頃の下縁に沿って後身頃の中央部分に取付点を持つベルト手段を含むものからなり、前記ベルト手段が、長さ方向に伸縮性を有する伸縮ベルトからなり、該伸縮ベルトの各自由端側に係着手段を設けてなることを特徴とするものである。
【０００８】
さらにまた、この考案において請求項３に記載の考案は、請求項１〜請求項３のいずれかに記載の二部式着物における上衣であって、前記ベルト手段の取付点が、長さ方向に貫通する貫通部を有するように形成されていて、前記貫通部に、両端にクリップを備えた止め合わせ部材を設けたことを特徴とするものでもある。
【考案の効果】
【０００９】
この考案になる二部式着物における上衣は、上前衿部を備えた上前身頃および下前衿部を備えた下前身頃と、前記上前身頃および下前身頃に対して、袖付け部を除いて縫着接続されている後身頃と、袖付け部に取り付けられる左右両袖とにより構成され、前記上前身頃および下前身頃の各下縁が、それぞれ身頃脇部分から衿先部分にかけて徐々に延長し、外向きに凸曲線状に形成されているものからなっており、さらなるファッション性並びに着物着用の見栄えを高め、着用した時にきれいな着姿ができ、着崩れを確実に防止することができる点において極めて有効に作用するものといえる。
【考案を実施するための最良の形態】
【００１０】
以下、この考案になる二部式着物における上衣について、図面に示す具体的な実施例に基づいて詳細に説明する。図１は、この考案になる二部式着物における上衣の具体的な実施例を示すものであって、当該上衣をその正面側から見た概略的な正面図であり、図２は、その背面側から見た概略的な背面図である。図３Ａは、両前身頃を左右に平面状に開いて当該上衣の内側を展開した状態で示す概略的な展開図であり、図３Ｂは、上前身頃の下端部の形態の詳細を説明する概略的な正面図である。
【００１１】
この考案になる二部式着物における上衣１は、上前衿部５を備えた上前身頃２および下前衿部６を備えた下前身頃３と、前記上前身頃２および下前身頃３に対して、袖付け部７を除いて縫着接続されている後身頃４と、袖付け部７に取り付けられる左右両袖８、８とにより構成されている。
【００１２】
この発明において、一つの特徴とする点は、前記上前身頃２の下縁２ａおよび下前身頃３の下縁３ａが、それぞれ身頃脇部分９から衿先部分１０にかけて徐々に延長していて、外向きに凸曲線状１１に形成されているものである。これを詳細に述べると、図１および図３Ｂに示すように、身頃脇部分９から衿先部分１０にかけて湾曲線状に延出しており、その延出寸法Ｌは約４〜７ｃｍ程度のものである。
【００１３】
これに対して、後身頃４の下縁４ａは、直線状のものであってもかまわない。図３Ａに示すように一連の飾りテープ部材１２により縁取り加工を施しておくと、さらにファッション性を高めることができる。図１、図２および図３Ａに示すように、前記上前身頃２の下縁端部および下前身頃の下縁端部には、衿元をなおすべく引くための引き部材１３、１３が取り付けてある。
【００１４】
一方、この考案の他の特徴において、当該上衣１は、前記上前衿部５および下前衿部６の内側であって、衿先近傍の位置において、前記上前衿部５および下前衿部６の衿幅ｗ１に対して、約１／３程度の細幅部分ｗ２で折り止め処理がなされている。このように折り止め処理しておくことにより、肩廻りと衿幅ｗ１とが自然につながり、着用した時に、きれいな着姿ができる。前記衿の内側の部分１４にスナップを付けておき、伊達衿を取り付けるようにしてもよい。
【００１５】
さらに、この考案では、前記後身頃４の下縁４ａに沿って後身頃４の中央部分に取付点１５を持つベルト手段１６が取り付けられている。前記ベルト手段１６は、長さ方向に伸縮性を有する伸縮ベルト１７からなっており、該伸縮ベルト１７の各自由端側に係着手段１８が設けてあって、これを着用者の前方で係着できるようになっている。
【００１６】
図に示す実施例において、前記ベルト手段１６の取付点１５は、長さ方向に貫通する貫通部１９によって形成しておくことにより、前記貫通部１９に対して、両端にクリップ２１Ａ、２１Ｂを備えた止め合わせ部材２０を設けておくことができる。この止め合わせ部材２０は、一方のクリップ２１Ａにより上前身頃側をクリップし、他方のクリップ２１Ｂにより下前身頃側をクリップして、着姿を整えるものである。
【図面の簡単な説明】
【００１７】
【図１】図１は、この考案になる二部式着物における上衣の具体的な実施例を示すものであって、当該上衣をその正面側から見た概略的な正面図である。
【図２】図２は、その背面側から見た概略的な背面図である。
【図３】図３Ａは、両前身頃を左右に平面状に開いて当該上衣の内側を展開した状態で示す概略的な展開図であり、図３Ｂは、上前身頃の下端部の形態の詳細を説明する概略的な正面図である。
【符号の説明】
【００１８】
１  二部式着物における上衣
２  上前身頃
３  下前身頃
４  後身頃
５  上前衿部
６  下前衿部
７  袖付け部
８、８  左右両袖
９  身頃脇部分
１０  衿先部分
１１  凸曲線状
１２  飾りテープ部材
１３、１３  引き部材
１４  衿の内側の部分
１５  取付点
１６  ベルト手段
１７  伸縮ベルト
１８  係着手段
１９  貫通部
２０  止め合わせ部材
２１Ａ、２１Ｂ  クリップ
【図１】
0003129692.tif 000003
【図２】
0003129692.tif 000004
【図３】
0003129692.tif 000005